【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】  再密閉可能の所定のプロファイルを有するプラスティックジッパーをまたいだスライダであって、前記ジッパーは第１及び第２の相互係止のプロファイルを有し、かつ該またがるスライダはジッパーに沿って移動することにより前記相互係止のプロファイルを閉じ及び開口する前記スライダであって、
横断方向の支持部材と、
前記支持部材の両側から下方へ伸びる一対の側壁であって、該側壁は、互いに向かって内方へ伸びる第１及び第２の肩部を形成し、該第１及び第２の肩部は前記各第１及び第２の相互係止プロファイルの下方の再密閉可能のバッグの個々の隣接した部分に対面して接触する第１及び第２の最内側端部を含み、前記第１の最内側端部は前記再密閉可能のバッグの前記個々の隣接した部分の方へ、該第１の最内側端部の残りの部分よりも更に内方へかつ前記両側壁間に配置された長手方向中間面を越えて突き出す第１の突出部分を形成する、前記一対の側壁とを具備することを特徴とする前記スライダ。
【請求項２】  請求項１記載のスライダにおいて、
前記第１の最内側端部は第１の非平面セクションを含み、該第１の非平面セクションは前記第１の突出部分と第１の凹部とを含み、該第１の凹部は、前記再密閉可能のバッグの前記個々の隣接した部分から離れる方へ、前記第１の最内側端部の残りの部分よりも更に突き出すことを特徴とする前記スライダ。
【請求項３】  請求項１記載のスライダにおいて、
前記第２の最内側端部は、前記再密閉可能のバッグの前記個々の隣接した部分の方へ、該第２の最内側端部の残りの部分よりも更に内方へかつ前記長手方向中間面を越えて突き出す第２の突出部分を形成することを特徴とする前記スライダ。
【請求項４】  請求項３記載のスライダにおいて、
前記第２の最内側端部は第２の非平面セクションを含み、該第２の非平面セクションは前記第２の突出部分と第２の凹部とを含み、該第２の凹部は、前記再密閉可能のバッグの前記個々の隣接した部分から離れる方へ、前記第２の最内側端部の残りの部分よりも更に突き出すことを特徴とする前記スライダ。
【請求項５】  請求項１記載のスライダであって、
前記各側壁は、該側壁を強化し側壁の前記支持部材に対する可撓性を最小化するための複数のほぼ隣接する垂直強化リブをそれぞれ含む、
ことを特徴とするスライダ。
【請求項６】  請求項５記載のスライダにおいて、
前記各側壁は、それぞれ、脚部及び翼部を含み、
前記翼部は、前記横断方向の支持部材にヒンジ結合されていて、前記スライダが前記ジッパー上に組み込まれる際に前記脚部にラッチ留めされ、
前記脚部は、複数のほぼ隣接する垂直強化リブを含む、
ことを特徴とするスライダ。
【請求項７】  第１及び第２の相互係止プロファイルを有する開閉自在のプラスチックジッパーバッグをまたぎ、前記ジッパーに沿って移動することによって相互係止プロファイルを開閉するスライダであって、
横断方向の支持部材と、
前記支持部材の対向両側から下方に延在する一対の側壁とを、備え、
前記側壁は、互いに向かって内方に延在する第１及び第２の肩部をそれぞれ形成し、
前記第１及び第２の肩部は、前記第１及び第２の相互係止プロファイル下方の前記開閉自在バッグの各隣接部分に面し且つ接触する第１及び第２の最内方端部をそれぞれ含み、
該第１の最内端部は第１の突起部及び第１の凹部を構成し、該第１の突起部は前記第１の最内端部の他の部分よりも前記開閉自在なバッグの各隣接部分に向けて更に内方に突出し、前記第１の凹部は前記第１の最内端部の前記他の部分よりも前記開閉自在なバッグの各隣接部分から更に離れるように突出し、前記第２の最内端部は、第２の突起部及び第２の凹部を有する第２の非平面セクションを含み、前記第２の突起部は前記第２の最内端部の他の部分よりも前記開閉自在なバッグの前記各隣接部分に向けて更に内方に突出し、前記第２の凹部は前記第２の最内端部の前記他の部分よりも前記開閉自在のバッグの各隣接部分から更に離れるように突出し、前記第１の非平面セクションは、前記第１の突起部が前記第２の凹部と向き合うと共に前記第１の凹部が第２の突起部と向き合うように、前記第２の非平面セクションと相互補完関係になされた、
ことを特徴とするスライダ。
【請求項８】  第１及び第２の相互係止プロファイルを有する開閉自在のプラスチックジッパーバッグをまたぎ、前記ジッパーに沿って移動することによって相互係止プロファイルを開閉するスライダであって、
横断方向の支持部材と、
前記支持部材の両側から下方に延在する一対の側壁とを、備え、
前記側壁は、互いに向かって内方に延在する第１及び第２の肩部をそれぞれ形成し、
前記第１及び第２の肩部は、前記第１及び第２の相互係止プロファイル下方の前記開閉自在バッグの各隣接部分に面し且つ接触する第１及び第２の最内方端部をそれぞれ含み、
前記第１及び第２の最内方端部は、両者の間にＳ字形の曲がりくねった経路を規定し、
前記開閉自在バッグの隣接部分は、前記Ｓ字形の曲がりくねった経路を貫通しており、
前記第１の内端は第１の突起部を構成し、該第１の突起部は前記第１の内端の他の部分よりも前記開閉自在なバッグの前記各隣接部分に向けて更に内方に突出せしめてなること、
を特徴とするスライダ。
【請求項９】  第１及び第２の相互係止プロファイルを有する開閉自在のプラスチックジッパーバッグをまたぎ、前記ジッパーに沿って移動することによって相互係止プロファイルを開閉するスライダであって、
横断方向の支持部材と、
前記支持部材の両側から下方に延在する一対の側壁とを、備え、
前記側壁は、互いに向かって内方に延在する第１及び第２の肩部をそれぞれ形成し、
前記第１及び第２の肩部は、前記第１及び第２の相互係止プロファイル下方の前記開閉自在バッグの各隣接部分に面し且つ接触する第１及び第２の最内方端部をそれぞれ含み、
前記第１及び第２の最内方端部は、両者の間にＳ字形の曲がりくねった経路を規定し、
前記開閉自在バッグの隣接部分は、前記曲がりくねった経路を貫通する、
ことを特徴とするスライダ。
【請求項１０】  請求項９記載のスライダであって、
前記曲がりくねった経路は、前記最内方端部の少なくとも一方によって形成された凸部によって作り出される、
ことを特徴とするスライダ。
【請求項１１】  請求項９記載のスライダであって、
前記曲がりくねった経路は、前記最内方端部の少なくとも一方によって形成された凸部及び凹部によって作り出される、
ことを特徴とするスライダ。
【請求項１２】  請求項９記載のスライダであって、
前記曲がりくねった経路は、両前記最内方端部によって形成された凸部によって作り出される、
ことを特徴とするスライダ。
【請求項１３】  請求項９記載のスライダであって、
前記曲がりくねった経路は、両前記最内方端部によって形成された凸部及び凹部によって作り出される、
ことを特徴とするスライダ。
【請求項１４】  請求項９記載のスライダであって、
前記側壁は、該側壁を強化し側壁の前記支持部材に対する可撓性を最小化するための複数のほぼ隣接する垂直強化リブをそれぞれ含む、
ことを特徴とするスライダ。
【請求項１５】  請求項１４記載のスライダであって、
前記側壁は、脚部及び翼部をそれぞれ含み、
前記翼部は、前記横断方向の支持部材にヒンジ結合されていて、前記スライダが前記ジッパー上に組み込まれる際に前記脚部にラッチ留めされ、
前記脚部は、複数のほぼ隣接する垂直強化リブを含む、
ことを特徴とするスライダ。
【請求項１６】  開閉自在なバッグに取り付けられると共に、第１及び第２の係合可能なプロファイルを備える所定形状のプラスチック製ジッパーに跨着可能で、該ジッパーに沿って移動することによって前記係合可能なプロファイルを開け閉めするスライダであって、
横断方向に延在する支持部材と、
前記支持部材の両側から下方に延伸する一対の側壁とを備え、該側壁は夫々、近接するように内側に向けて延在する第１及び第２の肩部を有し、該第１及び第２の肩部は夫々第１及び第２の内端を有し、該第１の内端は第１の突起部を構成し、該第１の突起部は該第１の内端の他の部分よりも前記開閉自在なバックに向けて更に内方に突出し、前記第１の内端と前記第２の内端は直接対面し且つ前記開閉自在なバッグの夫々近接する部分に当接する一方、前記スライダはいかなる部分も前記近接部分の間に位置せず、前記開閉自在なバッグの前記近接部分は前記スライダの全長に亘って互いに近接することを特徴とするスライダ。
【請求項１７】  開閉自在なバッグに取り付けられると共に、第１及び第２の係合可能なプロファイルを備える所定形状のプラスチック製ジッパーに跨着可能で、該ジッパーに沿って移動することによって前記係合可能なプロファイルを開け閉めするスライダであって、
横断方向に延在する支持部材と、
前記支持部材の両側から下方に延伸する一対の側壁とを備え、該側壁の各々は、近接するように内側に向けて延在する第１及び第２の肩部を有し、前記第１及び第２の肩部は第１及び第２の内端を夫々有し、該第１の内端と該第２の内端は対面し且つ前記第１及び第２の係合可能なプロファイルの下方において前記開閉自在なバッグの近接部分に夫々当接し、前記第１の内端はその長さの少なくとも一部である突起部を有し、前記第２の内端はその長さの少なくとも一部である凹部を有し、前記突起部は前記凹部に対置することを特徴とするスライダ。